(57)【要約】      （修正有）【課題】ヒト有効性試験と高い一致性を示し、簡単かつ簡便に歯磨剤や歯ブラシの歯垢除去性能を評価することのできる、歯垢モデルを用いた歯磨剤の歯垢除去性能の評価方法、および評価用装置を提供する。【解決手段】（Ａ）歯ブラシのヘッドを歯垢モデルの歯垢面に対して垂直となるように配置し、かつ歯ブラシのブラシ先端部と歯垢面の接触点で固定して固定点を決定する工程、（Ｂ）歯ブラシの刷掃する歯垢モデル表面および歯ブラシのブラシ部に評価対象の歯磨剤を塗布する工程、（Ｃ）評価対象の歯磨剤を染み込ませた歯ブラシで、歯垢モデルの歯垢面を刷掃荷重１０〜５００ｇｆ、往復速度８０〜１２０ｒｐｍ、および往復回数１０〜３００回の条件で刷掃する工程、（Ｄ）アルコール系インキの残存量又は除去量の測定値をもとに、歯垢除去率を計算する工程を備え、評価対象の歯磨剤の粘度をＢ８Ｈ粘度２０００ｄＰａｓ・ｓ以上とする。【選択図】図２
2019117090.tif 000002
【特許請求の範囲】
【請求項１】
撥水性シート上に物質付着フィルムが固定されてなり、該物質付着フィルムが、繊維径５μｍ以上３５μｍ以下で繊維長さ０．５ｍμｍ以上４ｍμｍ以下の紙基材にアクリル系粘着層を担持してなり、かつ該アクリル系粘着層上にアルコール系インキを担持してなる歯垢モデルを用い、
次の工程（Ａ）、（Ｂ）、（Ｃ）並びに（Ｄ）：
（Ａ）歯ブラシのヘッドを歯垢モデルの歯垢面に対して垂直となるように配置し、かつ歯ブラシのブラシ先端部と歯垢面の接触点で固定して固定点を決定する工程、
（Ｂ）歯ブラシの刷掃する歯垢モデル表面および歯ブラシのブラシ部に評価対象の歯磨剤を塗布する工程
（Ｃ）評価対象の歯磨剤を染み込ませた歯ブラシで、歯垢モデルの歯垢面を刷掃荷重１０〜５００ｇｆ、往復速度８０〜１２０ｒｐｍ、および往復回数１０〜３００回の条件で刷掃する工程、
（Ｄ）アルコール系インキの残存量又は除去量の測定値をもとに、歯垢除去率を計算する工程
を備え、評価対象の歯磨剤の粘度をＢ８Ｈ粘度２０００ｄＰａｓ・ｓ以上とする、歯磨剤の歯垢除去性能の評価方法。
【請求項２】
前記撥水性シートがプラスチックもしくはガラスである請求項１記載の評価方法。
【請求項３】
前記アクリル系粘着層の粘着力が４．２Ｎ/１０ｍｍ以上である請求項１又は２記載の評価方法。
【請求項４】
撥水性シート上に物質付着フィルムが固定されてなり、該物質付着フィルムが、繊維径５μｍ以上３５μｍ以下で繊維長さ０．５ｍμｍ以上４ｍμｍ以下の紙基材にアクリル系粘着層を担持してなり、かつ該アクリル系粘着層上にアルコール系インキを担持してなる歯垢モデル、並びに歯ブラシが配設されてなる装置であって、
次の工程（Ａ）、（Ｂ）、（Ｃ）並びに（Ｄ）：
（Ａ）歯ブラシのヘッドを歯垢モデルの歯垢面に対して垂直となるように配置し、かつ歯ブラシのブラシ先端部と歯垢面の接触点で固定して固定点を決定する工程、
（Ｂ）歯ブラシの刷掃する歯垢モデル表面および歯ブラシのブラシ部に評価対象の歯磨剤を塗布する工程
（Ｃ）評価対象の歯磨剤を染み込ませた歯ブラシで、アクリル系付着層を設けた物質付着フィルムを刷掃荷重１０〜５００ｇｆ、往復速度８０〜１２０ｒｐｍ、および往復回数１０〜３００回の条件で刷掃する工程、
（Ｄ）アルコール系インキの残存量又は除去量の測定値をもとに、歯垢除去率を計算する工程
を備え、かつ評価対象をＢ８Ｈ粘度２０００ｄＰａｓ・ｓ以上の練歯磨剤とする、練歯磨剤の歯垢除去性能の評価方法に用いるための評価用装置。
【発明の詳細な説明】
【技術分野】
【０００１】
本発明は、歯磨剤の歯垢除去性能の評価方法、およびその評価方法に用いるための評価用装置に関する。
【背景技術】
【０００２】
従来より、歯間部に付着した汚れやステイン汚れを良好に除去すべく、各種の歯磨剤および歯ブラシが開発されており、かかる製品による汚れ落とし性能を評価するにあたっても種々の評価方法が採用されている。
【０００３】
例えば、特許文献１では、汚磁気体塗布フィルム、インクジェット・熱転写・グラビア等による印刷物や、金属蒸着フィルムを用いた物質付着フィルムを汚れモデルとして採用し、歯ブラシの歯間部汚れ落とし性能を評価している。また、特許文献２では、歯肉モデルに歯垢を模した塗膜形成材としてホワイトボート用のマーカーインキを用いて、歯肉への感触の良い歯ブラシを評価、選定している。
【０００４】
一方、特許文献３では、特定の溝状凹部にマスカラやアイライナー等の疑似汚れ物質を充填した板状歯面モデルを用いた歯磨剤のスクリーニング方法が開示されており、特許文献４には、顆粒を含有する歯磨剤の着色汚れ除去能の試験方法として、カーボンブラック及びオレフィン樹脂が塗布されたビデオテープをアルミブロックに貼付けたものをモデル着色汚れとする評価方法が開示されている。
【先行技術文献】
【特許文献】
【０００５】
【特許文献１】特開２００２−１１２８３７号公報
【特許文献２】特開２０１７−６５０６号公報
【特許文献３】特開２０１５−１０８８４号公報
【特許文献４】特開２０１１−２８２２９７号公報
【発明の概要】
【発明が解決しようとする課題】
【０００６】
他方、ヒトの口腔内に存在する歯垢（プラーク）は、内部や深部に細菌が増殖している集塊物であり、歯面に強固に定着している。かかる歯垢は、口腔内においてネバツキの発生や口臭の原因ともなり、う蝕や歯石、歯周病等の原因にもなりかねない。こうした背景から、歯垢除去性能の高い歯磨剤の開発が望まれているとともに、安心・高品質な製品を提供するために、より簡便かつ迅速に歯磨剤の歯垢除去性能を評価できる方法の開発が望まれている。
【０００７】
しかしながら、特許文献１に記載の方法は、あくまで歯ブラシが届きにくい歯間部の汚れ落とし性能を評価した物であり、歯面に強固に定着した歯垢の除去性能評価を想定したものではない。また、特許文献２にはホワイトボート用のマーカーインキを用いた歯垢モデルが使用されているが、あくまで歯肉への感触の良い歯ブラシを評価するためのものである。また、特許文献３は歯面の微細な凹凸内に入り込んだ汚れに対する歯磨剤の汚れ落とし性能を評価するものであり、特許文献４は先述したモデル着色汚れを用いる評価方法とは別に、歯磨剤の歯垢除去能試験に関しては実際にヒト試験を行うことにより評価を行っている。このように、モデル試験として歯磨剤や歯ブラシの歯垢除去性能を評価する方法には、さらなる技術改良の余地があった。
【０００８】
本発明は、ヒト有効性試験と高い一致性を示し、簡単かつ簡便に歯磨剤や歯ブラシの歯垢除去性能を評価することのできる、歯垢モデルを用いた歯磨剤の歯垢除去性能の評価方法、およびその評価方法に用いるための評価用装置に関する。
【課題を解決するための手段】
【０００９】
そこで本発明者は、種々検討したところ、撥水性シートの上に、特定の繊維径と繊維長さの紙基材にアクリル系粘着層を担持してなる物質付着フィルムが固定されてなり、該アクリル系粘着層上にさらにアルコール系インキを担持してなる歯垢モデルを用いつつ、特定の工程を経て評価対象の歯磨剤を評価することにより、歯磨剤の歯垢除去性能を簡単かつ簡便に評価できる方法を見出した。
【００１０】
すなわち、本発明は、撥水性シート上に物質付着フィルムが固定されてなり、該物質付着フィルムが、繊維径５μｍ以上３５μｍ以下で繊維長さ０．５ｍμｍ以上４ｍμｍ以下の紙基材にアクリル系粘着層を担持してなり、かつ該アクリル系粘着層上にアルコール系インキを担持してなる歯垢モデルを用い、
次の工程（Ａ）、（Ｂ）、（Ｃ）並びに（Ｄ）：
（Ａ）歯ブラシのヘッドを歯垢モデルの歯垢面に対して垂直となるように配置し、かつ歯ブラシのブラシ先端部と歯垢面の接触点で固定して固定点を決定する工程、
（Ｂ）歯ブラシの刷掃する歯垢モデル表面および歯ブラシのブラシ部に評価対象の歯磨剤を塗布する工程
（Ｃ）評価対象の歯磨剤を染み込ませた歯ブラシで、歯垢モデルの歯垢面を刷掃荷重１０〜５００ｇｆ、往復速度８０〜１２０ｒｐｍ、および往復回数１０〜３００回の条件で刷掃する工程、
（Ｄ）アルコール系インキの残存量又は除去量の測定値をもとに、歯垢除去率を計算する工程
を備え、評価対象の歯磨剤の粘度をＢ８Ｈ粘度２０００ｄＰａｓ・ｓ以上とする、歯磨剤の歯垢除去性能の評価方法に関する。
【００１１】
また、本発明は、撥水性シート上に物質付着フィルムが固定されてなり、該物質付着フィルムが、繊維径５μｍ以上３５μｍ以下で繊維長さ０．５ｍμｍ以上４ｍμｍ以下の紙基材にアクリル系粘着層を担持してなり、かつ該アクリル系粘着層上にアルコール系インキを担持してなる歯垢モデル、並びに歯ブラシが配設されてなる装置であって、
次の工程（Ａ）、（Ｂ）、（Ｃ）並びに（Ｄ）：
（Ａ）歯ブラシのヘッドを歯垢モデルの歯垢面に対して垂直となるように配置し、かつ歯ブラシのブラシ先端部と歯垢面の接触点で固定して固定点を決定する工程、
（Ｂ）歯ブラシの刷掃する歯垢モデル表面および歯ブラシのブラシ部に評価対象の歯磨剤を塗布する工程
（Ｃ）評価対象の歯磨剤を染み込ませた歯ブラシで、アクリル系付着層を設けた物質付着フィルムを刷掃荷重１０〜５００ｇｆ、往復速度８０〜１２０ｒｐｍ、および往復回数１０〜３００回の条件で刷掃する工程、
（Ｄ）アルコール系インキの残存量又は除去量の測定値をもとに、歯垢除去率を計算する工程
を備え、かつ評価対象をＢ８Ｈ粘度２０００ｄＰａｓ・ｓ以上の練歯磨剤とする、練歯磨剤の歯垢除去性能の評価方法に用いるための評価用装置に関する。
【発明の効果】
【００１２】
本発明の評価方法によれば、評価対象の歯磨剤が有する歯垢除去性能を簡単かつ簡便に評価することができ、またモデル試験でありながらヒト有効性試験に対して高い一致性を示すことができる。
【図面の簡単な説明】
【００１３】
【図１】本発明で用いる歯垢モデルの構成を示す概略図である。
【図２】本発明で用いる評価用装置の構成の概要を示す斜視図である。
【図３】本発明の工程（Ｃ）において、歯垢モデルの歯垢面を歯ブラシによって刷掃する状況を示す、図２の一部拡大図である。
【図４】本発明の評価方法により測定された歯垢除去率のデータと、歯垢除去ホワイトボード用のマーカーインキが剥離した状態の、歯垢モデルの表面の画像を説明する図である。
【発明を実施するための形態】
【００１４】
以下、本発明について詳細に説明する。
本発明において用いる歯垢モデルの構成は、図１に示すとおりである。すなわち、本発明の評価方法に用いる歯垢モデル１１は、撥水性シート１２に、アクリル系粘着層を設けた物質付着フィルム１３が固定されてなり、さらにその表面にアルコール系インキ１４を塗布又は担持してなる。具体的には、歯垢モデル１１は、撥水性シート１２の表面にアクリル系粘着層を設けた物質付着フィルム１３を貼付したのち、アクリル系粘着層の表面にアルコール系インキ１４を塗布又は担持して作成する。
【００１５】
歯垢モデル１１の土台を構成する撥水性シート１２の材質は、後述するアクリル系粘着層を設けた物質付着フィルム１３に影響を与えないものであって、撥水性があるものであれば限定されないが、好ましくは金属、ハイドロキシアパタイト、プラスチック、およびガラスから選ばれる１種又は２種以上であり、評価の簡易性および正確性の観点から、より好ましくはプラスチックである。
【００１６】
本発明に用いる歯垢モデル１１を構成するアクリル系粘着層は、歯表面の微細な凹凸に形成された歯垢に近似させ、よりヒト有効性試験との一致性を高めた歯垢除去性能の評価とする観点から、繊維径が５μｍ以上３５μｍ以下であり、繊維長さが０．５ｍｍ以上４ｍｍ以下からなる紙基材に担持されている。アクリル系粘着層に用いられるアクリル系ポリマーとしては、アクリル変性シリコーン、アクリル酸アルキル共重合体、アクリル酸アルキル・スチレン共重合体、アクリル酸アルキル・酢酸ビニルなどが挙げられる。
【００１７】
アクリル系粘着層の粘着力は、歯面に強固に定着した歯垢に近似させる観点から、４Ｎ／１０ｍｍ以上であることが好ましく、４．２Ｎ／１０ｍｍ以上であることがより好ましい。このようなアクリル系粘着層を有する物質付着フィルム１４の具体例のひとつとして、ナイスタック（ニチバン（株）製）が挙げられる。
【００１８】
本発明に用いる歯垢モデル１１を構成するアルコール系インキ１４は、先述の物質付着フィルム１３の表面に担持されてなり、歯垢モデル１１の歯垢面を形成している。このようにすることで、歯ブラシ２３による刷掃時にアルコール性インキ１４が歯垢モデル１１から容易に剥離することを抑制し、より実際の歯面に強固に定着した歯垢に近似した歯垢モデルとすることが可能になる。また用いられるアルコール性インキ１４としては、蛍光色素が含有されていれば特に限定されないが、具体例のひとつとして、ホワイトボード用マーカー（コクヨ（株）製）が挙げられる。
【００１９】
本発明の評価方法は、上記歯垢モデル１１を用い、次の工程（Ａ）、（Ｂ）、（Ｃ）並びに（Ｄ）を備える。
工程（Ａ）は、図２にも示すように、試験台に歯垢モデル１１をセットし、歯垢モデル１１の歯垢面１１ａと歯ブラシ２３のヘッド部が平行になるように歯ブラシ２３を配置し、かつ歯ブラシ２３のブラシ（毛束）２５先端部と歯垢モデル歯垢面１１ａが接する点（接触点）で固定して固定点を決定する工程である。かかる工程（Ａ）における固定点は、歯ブラシ２３に植毛されたブラシ２５が、歯垢モデル１１に過度に押し付けられて撓むことなく、直線を保つよう定められることが好ましい。
【００２０】
工程（Ｂ）は、歯ブラシ２３の刷掃する歯垢モデル表面、および歯ブラシのブラシ２５部に試験対象の歯磨剤を塗布する工程である。歯磨剤の塗布量は特に制限されず、後述する歯ブラシ２３のブラッシング動作を妨げない程度に塗布することが好ましい。
【００２１】
工程（Ｃ）は、歯垢モデル１１の面上を歯磨剤と歯ブラシ２３を用いて刷掃（ブラッシング）する工程である。かかる工程（Ｃ）は、汚れ疑似物資であるアルコール性インキ１４を除去する、いわゆる歯磨剤を用いて歯表面を磨く歯磨き行為に近似する工程である。刷掃するにあたり、実際の歯磨き場面に近似させる観点、歯磨剤の有する歯垢除去効果を正当に評価する観点、およびローリング法等のブラッシング方法の評価の観点から、刷掃の動作方向は、歯垢モデル１１の長手方向に対して平行であるのが好ましい。一方、横磨き（水平法）のブラッシング方法の評価の観点からは、刷掃の動作方向は、歯垢モデル１１の長手方向に対して垂直方向であるのが好ましい。
【００２２】
複数の種類の歯磨剤により歯垢モデル１１の歯垢面１１ａを刷掃する際における刷掃荷重は、１０〜５００ｇｆの範囲で適宜設定することができるが、実際のブラッシングでの力の加え方から、例えば５０〜２００ｇｆ程度に設定することが好ましく、１００〜２００ｇｆ程度に設定するのが更に好ましい。また、刷掃条件として、例えば往復移動テーブル３５による往復ストローク（刷掃長さ）を、１０〜５００ｍｍ程度で歯ブラシ２３のヘッドの植毛台２４の長さを超えない長さとし、往復速度を８０〜１２０ｒｐｍ程度とし、往復回数を１〜１００回程度として、所定の物性値を得るようにすることが好ましい。なお、本実施形態での往復動作は正弦波である。
【００２３】
工程（Ｄ）は、アクリル系粘着層上に担持されてなるアルコール系インキ１４の、刷掃した後の残存量又は除去量を測定及び評価する工程である。アルコール系インキ１４の残存量又は除去量を測定し、これから計算して求められる値を歯垢除去率とすることにより、歯磨剤の歯垢除去性能の評価の指標とすることができる。なお、刷掃した後の歯垢モデル１１の表面には、歯磨剤が残留していることから、工程（Ｄ）を経る前に、予め歯垢モデル１１を十分に水洗いをして残留した歯磨剤や歯垢モデル以外の汚れを除去し、歯垢モデル１１の表面を紙又は布の平らな面にスライドさせておくことが好ましい。
【００２４】
疑似汚れ物質であるアルコール系インキ１４の残存量又は除去量の測定としては、刷掃によってアルコール系インキ１４が剥離した領域の面積から、容易に算出することができる。かかる方法を用いる場合、本発明の歯垢モデルを構成しているアルコール系インキ１４、撥水性シート１２および物質付着フィルム１３が異なる色相又は明度の色を呈するのがよく、目視による判別のほか、画像解析ソフトや色差計等を用いた測定も可能となる。なかでも、簡便性の観点及びより正確な測定を実現する観点から、マーカーインキ等を用いることによりアルコール系インキ１４に特有の色相又は明度を付与し、これを測定するのが好ましく、また蛍光性を有する色素を含有させることによって蛍光色を付与し、蛍光色の強度を測定するのが好ましい。なお、測定した蛍光色の強度は、その残存量又は除去量に換算すればよい。
【００２５】
本発明の好ましい一実施形態に係る評価方法について、図２をもとに、より具体的に説明する。本発明の評価方法は、歯垢モデル２１（図１での１１）と、ブラッシングマシーン２２とを具備する歯ブラシ２３の評価用装置２０を用いて容易に実施することができる。歯ブラシ２３の評価用装置２０の歯垢モデル２１（１１）は、図１にも示すように、撥水性のシート１２に、アクリル系粘着層を設けた物質付着フィルム１３にアルコール系インキ１４が塗布又は担持されたものを用いる。ブラッシングマシーン２２は、歯垢モデル２１を刷掃する際の刷掃荷重を調整する荷重調整手段３６と、歯垢モデル２１を刷掃する際の歯ブラシ２３のヘッド部の植毛台２４の垂直方向の変位を計測する変位計測手段（図示せず）とを有している。
【００２６】
そして、本発明の評価方法は、図３に示すように、歯垢モデル２１を用い、評価対象の歯磨剤を塗布したブラシ２５により、この歯垢モデル２１の歯垢面１１ａに対して、ブラッシングマシーン２２を用いて所定の刷掃荷重で刷掃し、次に疑似的な歯垢汚れであるアルコール系インキ１４を刷掃した後の残存量又は除去量を算出することで、評価対象の歯磨剤の歯垢除去性能を評価することができる。
【００２７】
本実施形態では、歯ブラシ２３の評価方法を実施するための評価装置２０は、上述のように、歯垢モデル２１と、ブラッシングマシーン２２とを具備している。ブラッシングマシーン２２は、図２に示すように、例えば特開２００２−１１２８３７号公報に記載される、公知の歯磨きマシンに適宜改良を加えたものを用いることができる。ブラッシングマシーン２２は、本実施形態では、例えば固定台２６の上に固定されたブラケット２７に、ロッカアーム２８が、枢軸２９を介して略上下方向に回動可能に設けられている。ロッカアーム２８の先端部には、歯ブラシ２３を交換可能に保持することが可能な、ブラシホルダ３０が取り付けられている。ロッカアーム２８の後端部には、バランスウエイト３１が取り付けられている。
【００２８】
また、ロッカアーム２８の先端部には、歯ブラシ２３による刷掃時に所定の刷掃荷重を付与することが可能なウエイト取付部が、荷重調整手段３６として設けられている。荷重調整手段であるウエイト取付部３２には、荷重設定ウエイト３３が、着脱交換可能に取り付けられる。荷重設定ウエイト３３は、重量の異なるものが複数種類、用意されており、ウエイト取付部３２に取り付けられる荷重設定ウエイト３３の種類や個数を変更することによって、刷掃荷重を容易に調整できるようになっている。
【００２９】
ロッカアーム２８の先端部に取り付けられたブラシホルダ３０の下方には、往復台装置３４が配置されている。往復台装置３４は、これの内部に設けられた往復駆動機構によって水平面上を往復駆動する、往復移動テーブル３５を有している。往復移動テーブル３５の上には、歯垢モデル２１を、着脱可能に固定できるようになっている。往復台装置３４は、往復移動テーブル３５の往復ストローク（刷掃長さ）を変更したり、内蔵タイマによって、動作時間（刷掃回数）を変更したりできるようになっている。
【００３０】
さらに、本実施形態では、ブラッシングマシーン２２は、歯ブラシ２３のヘッド部によって歯垢モデル２１を刷掃する際に、歯ブラシ２３のヘッド部の植毛台２４の垂直方向の変位を計測することが可能な、変位計測手段（図示せず）を有している。変位計測手段は、具体的には、レーザ変位計やＬＥＤ変位計であって、本実施形態では、バランスウエイト３１の上下動を検出することで、間接的に歯ブラシ２３のヘッド部の上下動を検出する構成となっている。
【００３１】
なお、本実施形態では、ブラシホルダ３０に保持される歯ブラシ２３の長手方向と、往復移動テーブル３５の往復移動方向とが合致するような位置関係で、ブラシホルダ３０と往復移動テーブル３５とが配置されている。また、歯ブラシ２３の植毛台２４の垂直方向の変位は、歯垢モデル２１を刷掃する際に変位計測手段によって計測された、ブラシホルダ３０の上下方向の変位を意味するものであり、例えば歯ブラシ２３のヘッド部の植毛台２４がブラシホルダ３０に対して若干斜めに傾いた状態で把持されている場合には、歯ブラシ２３のヘッド部の植毛台２４に対して略垂直方向の変位も含まれる。
【００３２】
このようにして、本発明の評価方法や評価装置によれば、歯磨剤の歯垢除去性能をモデル試験により評価することが可能になる。また、本発明は歯磨剤の歯垢除去性能の評価だけではなく、歯ブラシの歯垢除去性能の評価にも用いることができる。
【実施例】
【００３３】
以下、実施例により、本発明の評価方法をさらに詳細に説明するが、本発明はこれらに限定されるものではない。
【００３４】
Ｉ〜IVの４種類の歯磨剤について、上述の実施形態のものと同様の構成の歯磨剤の評価用装置２０を用いて、ブラッシングマシーンにより、所定の刷掃荷重で歯垢モデルの歯垢面を刷掃し、アルコール系インキの残存量又は除去量を測定した。また、Ｉ〜IVの歯磨剤を実際に使用した際の歯垢除去性能評価をヒト有効性試験にて行ない、本発明との相関関係を確認した。さらに比較例として、ポリプロピレン製のプラスチック板（縦横６×３ｃｍ、厚さ１ｍｍ）にビデオテープを貼り付け、ビデオテープを歯垢モデルとして用いたもので評価を行った。なお、比較例の測定条件は、実施例と同じ測定条件とした。それぞれの評価結果につき、もっとも歯垢除去率の高い歯磨剤１位として各順位付けを行った。
【００３５】
＜Ｉ〜IVの４種類の歯磨剤＞
粘結剤及び／又は粘度調整剤、および研磨剤及び/又は清掃剤を含有し、かつ後述するＢ８Ｈ粘度が２０００ｄＰａｓ・ｓ以上の歯磨剤を評価対象とした。Ｉの歯磨剤では、水分量が３８．２質量％であり、粘結剤及び／又は粘度調整剤としてカルボキシメチルセルロースナトリウムを含有し、研磨剤及び／又は清掃剤として炭酸Ｃａ顆粒、無水ケイ酸、Ｚｎ顆粒を含有していた。IIの歯磨剤では、水分量が６．８質量％であり、粘結剤及び／又は粘度調整剤としてカルボキシメチルセルロースナトリウム、カラギーナン、キサンタンガム、無水ケイ酸を含有し、研磨剤及び／又は清掃剤として無水ケイ酸、ピロリン酸を含有していた。IIIの歯磨剤では、水分量が５１．５質量％であり、粘結剤及び／又は粘度調整剤として結晶セルロース、ヒドロキシエチルセルロースを含有し、研磨剤及び／又は清掃剤としてプロピルジメチルオクタデシルアンモニウムクロリド結合無水ケイ酸、ヤシ油脂肪酸アミドプロピルベタインを含有していた。IVの歯磨剤では、水分量が２３．３質量％であり、粘結剤及び／又は粘度調整剤としてカラギーナン、無水ケイ酸を含有し、研磨剤及び／又は清掃剤としてピロリン酸カルシウムを含有していた。
【００３６】
Ｂ８Ｈ粘度とは、一定のせん断速度（ずり速度）または一定の応力を加えたときに、その応答としてそれぞれ観測されるクリープ挙動あるいは応力緩和現象から、その物体の粘弾性を示すものである。なお、本発明において、評価対象の歯磨き剤をＢ８Ｈ粘度２０００ｄＰａｓ・ｓ以上とするのは、Ｂ８Ｈ粘度が２０００ｄＰａｓ・ｓ以下の歯磨剤を評価対象とした場合、ヒト有効性試験との相関が見られず、不適であると考えられたためである。
【００３７】
＜刷掃条件等＞
ブラッシングマシーンを用いて歯垢モデルの歯垢面を刷掃する際の刷掃条件を、以下のように設定し、歯垢モデルの歯垢面からホワイトボード用マーカー（コクヨ（株）製）のインキが剥離した領域の面積を、画像処理装置を用いて算出した。なお、画像解析装置はＷｉｎ  ＲＯＯＦ  Ｖ６．６を用いた。
【００３８】
刷掃条件、
使用機器：ブラッシングマシーン（図２参照）、
刷掃荷重：２００ｇ、
往復ストローク（刷掃長さ）：３０ｍｍ、
往復速度：１２０ｒｐｍ、
往復回数：６０回、１２０回、１８０回で測定
【００３９】
往復移動テーブルの上面に往復方向に５ｃｍの間隔をおいて固定された一対の係止凸片に、ポリプロピレン製のプラスチック板（縦横６×３ｃｍ、厚さ１ｍｍ）の両側の下辺部を各々係止することで、上端部分に歯垢面を備えるようにし、歯垢モデルを形成した（図１参照）。歯肉モデルの歯垢面には、ナイスダック（（ニチバン（株）製）を固定し、さらにプラスチック板と反対側に位置するナイスダックの粘着面にホワイトボード用のマーカーインキを塗布して担持した。画像処理装置として、Ｗｉｎ  ＲＯＯＦ  Ｖ６．６を使用し、蛍光灯２灯照明の下、撮影距離３０ｃｍで撮影することにより、図４に示すような、ホワイトボード用のマーカーインキが剥離した状態の歯垢モデルの表面の画像を得た。その後、マーカーインキの除去率を計算し、歯垢除去率とした。歯垢除去率は、以下の式１を用いて算出した。
（式１）：除去率（％）＝（剥離部の面積/設定エリア面積）×１００
【００４０】
＜ヒト有効性試験＞
Ｉ〜IVの歯磨剤を実際にヒトの口腔内に適用した際の歯垢除去性能評価を行った。Ａ〜Ｄの歯磨剤４種を、指定歯ブラシ（チェック スタンダード，花王）と共に１週間使用し、その後、歯垢除去量の測定前２４時間の口腔清掃を停止した。歯磨き前の歯垢量を測定した後、同一の試験歯磨剤を用いて本人に歯磨き行為を行なわせ、残存する歯垢量を測定した。
【００４１】
＜本発明の評価方法とヒト有効性試験との相関関係＞
Ｉ〜IVの歯磨剤について、本発明による評価結果と、ヒト有効性試験による結果との関係を表１に示す。本発明の評価方法は、ヒト有効性試験と高い一致性を示し、簡単かつ簡便に歯磨剤や歯ブラシの歯垢除去性能を評価することが可能となることが明らかとなった。
【００４２】
【表１】
2019117090.tif 000003
【符号の説明】
【００４３】
１１，２１：歯垢モデル
１１ａ：歯垢モデルの歯垢面
１２：撥水性シート
１３：物質付着フィルム
１４：アルコール系インキ
２０：評価用装置
２２：ブラッシングマシーン
２３：歯ブラシ
２４：植毛台
２５：ブラシ（毛束）
２６：固定台
２７：ブラケット
２８：ロッカアーム
２９：枢軸
３０：ブラシホルダ
３１：バランスウエイト
３２：ウエイト取付部
３３：荷重設定ウエイト
３４：往復台装置
３５：往復移動テーブル
３６：荷重調整手段
【図１】
2019117090.tif 000004
【図２】
2019117090.tif 000005
【図３】
2019117090.tif 000006
【図４】
2019117090.tif 000007